(57)【特許請求の範囲】
【請求項１】
軒先に取り付けられる取付部と、この取付部から屋外方向に突出した腕部と、腕部の先端に設けられた屋外側耳保持部と、この屋外側耳保持部より屋内側に設けられた屋内側耳保持部とからなる軒樋吊り具において、
前記屋外側耳保持部が腕部の先端部に上下方向および左右方向に回動可能に連結され、前記屋内側耳保持部が腕部の屋内側に前後方向および左右方向に回動可能に吊り下げられていることを特徴とする軒樋吊り具。
【発明の詳細な説明】
【０００１】
【発明の属する技術分野】
本発明は軒樋を軒先に取り付ける軒樋吊り具に関する。
【０００２】
【従来の技術】
従来、軒樋を軒先に取り付ける軒樋吊り具としては種々あるが、多く使用されている軒樋吊り具としては、実開昭６２−４０１２０号公報、実開昭６２−４０１２１号公報、実開平４−８２２３２号公報に記載されている軒樋吊り具がある。
この軒樋吊り具を図６および図７を参照しながら簡単に説明すると、軒樋吊り具１００は軒先に取り付けられる取付部１０１と、この取付部１０１から屋外側に突出して設けられた支持腕１０２と、この支持腕１０２の屋外側先端部に設けられた屋外側耳保持部１０４と、この屋外側耳保持部より屋内側に設けられた屋内側耳保持部１０５とからなる。
【０００３】
この軒樋吊り具１００は、図７に示すように、取付部１０１を鼻隠し板等の軒先３００に取り付け、軒樋吊り具１００の屋外側耳保持部１０４と屋内側耳保持部１０５にそれぞれ軒樋２００の屋外側耳２０４と屋内側耳２０５とを保持させて軒樋２００を軒樋吊り具１００で軒先に吊り下げて、使用する。
又、実開平２−２９１６号公報、実開平２−２９１７号公報、実開平２−９６２５号公報に記載あるように、軒樋の屋外側耳部を支持腕に取り付けられたバネで押さえて、軒樋を外れ難くした軒樋吊り構造が知られている。
【０００４】
【発明が解決しようとする課題】
しかし、図６に示す軒樋吊り具１００で、図７に示すように、軒樋２００を取り付けて長年月使用していると、軒樋２００が夏冬等の温度差によって、図８の矢印に示すように、軒に沿った方向に膨張収縮を繰り返すので、この軒樋２００を軒先に取り付けている軒樋吊り具１００には軒先に沿った方向に力が加わる。
【０００５】
更に、図８に示すような寄せ棟形式の屋根の軒先に軒樋２００を取り付けていると、下り棟の先端部分４００では軒樋２００が直角に折曲しているので、軒樋２００が膨張すると、図９（イ）の矢印に示すように、この直角２００に折曲している角部の軒樋が両側から押されて突き出たり、底面がより多く膨張して反り上がる。その結果、角近傍の軒樋２００を取り付けている軒樋吊り具１００には屋外方向に突出する方向に力が加わったり上方向の力が加わる。又、軒樋２００が収縮すると、図９（ロ）の矢印に示すように、角部の軒樋２００が両側から引っ張られて丸くなったり、底面がより多く収縮して垂れたりする。その結果、角近傍の軒樋２００を取り付けている軒樋吊り具１００には屋内方向に力が加わったり下方向の力が加わる。
【０００６】
更に、図１０に示すように、積雪地方では、雪が屋根に積もり、この積雪５００が屋根の傾斜面に沿って落下し、軒樋２００や軒樋吊り具１００の上に覆い被さると、図１０の矢印に示すような下方向の力が働く。このように、軒樋吊り具には軒先に沿った方向や屋内外方向に力が加わったり、上下方向に力が加わるので、軒樋が軒樋吊り具から外れ易いという問題がある。屋外側耳部をバネで押さえる軒樋吊り具では、バネで押さえているから外れ難くなっているが、それでも尚軒樋が軒樋吊り具から外れることがある。
そこで、本発明の目的は、軒樋が膨張収縮したり、積雪が落下しても、軒樋が外れ難い軒樋吊り具を提供することである。
【０００７】
【課題を解決するための手段】
本発明は上記目的を達成するためになされたものであって、請求項１記載の発明は、軒先に取り付けられる取付部と、この取付部から屋外方向に突出した腕部と、腕部の先端に設けられた屋外側耳保持部と、この屋外側耳保持部より屋内側に設けられた屋内側耳保持部とからなる軒樋吊り具において、前記屋外側耳保持部が腕部の先端部に上下方向および左右方向に回動可能に連結され、前記屋内側耳保持部が腕部の屋内側に前後方向および左右方向に回動可能に吊り下げられているものである。
【０００８】
本発明の軒樋吊り具では、屋外側耳保持部が腕部の先端部に上下方向および左右方向に回動可能に連結されているが、このように回動可能に連結する構造としては種々ある。例えば、軸を設けて、この軸に回動可能に取り付けてもよいし、回動可能に吊り下げてもよい。また、屋内側耳保持部が腕部の屋内側に前後方向および左右方向に回動可能に吊り下げられているが、このように回動可能に吊り下げる構造としては種々ある。例えば、ほぼ水平な回転軸を設け、この回転軸に回動可能に取り付けてもよいし、ほぼ垂直な軸を設け、この軸に回動可能に吊り下げてもよい。
【０００９】
（作用）一般に、軒樋吊り具で軒樋を取り付けて使用していると、軒樋が夏冬等の温度差によって膨張収縮を繰り返して、その結果、軒樋吊り具に軒先に沿った方向に力が加ったり上下方向の力が加わる。すると、請求項１記載の軒樋吊り具では、屋外側耳保持部が腕部の先端部に上下方向および左右方向に回動可能に連結され、また、屋内側耳保持部が腕部の屋内側に前後方向および左右方向に回動可能に吊り下げられているから、屋外側耳保持部が軒樋と一緒になって左右や上下に回動し、また、屋内側耳保持部が軒樋と一緒になって左右や上下に回動するので、軒樋吊り具から軒樋が外れない。又、積雪地方では、積雪が軒樋や軒樋吊り具に覆い被さって下方向の力が加わる。すると、屋外側耳保持部が軒樋と一緒になって下方向に回動し、また、屋内側耳保持部が上方向に回動して、軒樋の屋外側耳が下方に傾斜して、軒樋や軒樋吊り具から積雪が滑って落下し、軒樋が軒樋吊り具から外れない。
【００１０】
【発明の実施の形態】
次に、本発明の実施の形態を説明する。
（実施例１）図１〜図４は本発明の一実施例を示すもので、図１は軒樋吊り具の説明図、図２は図１のＡ部分を斜めから見た状態を拡大して示す説明図、図３は図１の軒樋吊り具の使用状態を示す説明図、図４は軒樋に下方向の力が加わったときの状態を示す説明図である。
【００１１】
図３において、７は軒樋であり、この軒樋７は、屋外側壁７１と底板７２と屋内側壁７３とが断面コ字形の溝形に形成された長尺体であり、屋外側壁７１の上端部には断面Ｃ形の屋外側耳７５が設けられ、屋内側壁７３の上端部には断面ロ字形に膨出した屋内側耳７６が設けられている。
１は軒樋吊り具であり、この軒樋吊り具１は、図１に示すように、取付部２と腕部３と屋外側耳保持部４と屋内側耳保持部５とからなる。取付部２は軒先に沿う板状体で、軒先に取り付けるビスや釘を挿入する取付孔２５が３個設けられている。
【００１２】
腕部３は取付部２の上縁部から屋外方向に突出した棒状体である。屋外側耳保持部４は、Ｃ字形に湾曲した小片である。この屋外側耳保持部４の先端部４１は上方に突出していて、この先端部４１を軒樋７の屋外側耳７５の断面Ｃ形の中に挿入すると、軒樋の屋内側耳７５が保持できるようになっている。又、根元部４２は、腕部３の先端部から下方に垂下した２個の垂下片３１、３１の間に挿入され、この垂下片３１から根元部４２を貫通している回転軸３２によって、図１の矢印に示すように、上下方向に回動可能に取り付けられている。又、この回転軸３２と根元部４２を貫通する通孔とは余裕があるので、図１の矢印に示すように、左右方向にも回動可能になっている。又、垂下片３１には両側の垂下片３１、３１を連結した弾性材からなるストッパー３５が設けられていて、屋外側耳保持部４がほぼ水平位置に保持できるようになっている。そして、下方向の力が加わるとストッパー３５の弾性により屋外側耳保持部４が若干下方に傾くようになっている。
【００１３】
屋内側耳保持部５はＣ字形の小片であり、このＣ字形の両側の先端部５１、５２で軒樋の屋内側耳７６を両側から挟んで屋内側耳７６を保持するようになっている。又、この屋内側耳保持部５は腕部３の屋内側に軸３８で前後および左右に回動可能に吊り下げられている。そして、この屋内側耳保持部５の上方の腕部３には窪んだ凹部３９が設けられていて、屋内側耳保持部５が上方に若干回動しても腕部２に衝突しないようになっている。又、屋内側耳保持部５の屋内側の取付部２にも窪んだ凹部２９が設けられていて屋内側耳保持部５が屋内方向に若干回動可能しても取付部２に衝突しないようになっている。
このような構造になっているから、この屋内側耳保持部５は、図１の矢印に示すように、上下方向および左右方向に回動可能になっている。８は鼻隠し板からなる軒先である。
【００１４】
次に、この軒樋吊り具の使用方法および作用について説明する。
先ず、取付部２を軒先８の所定位置に当接させ取付孔２５の中にビスや釘を挿入し、軒先に螺入したり打ち込んで、軒樋吊り具１を軒先８に取り付ける。このようにして、複数の軒樋吊り具１を軒先８の所定位置に取り付ける。軒樋７の屋外側耳７５の断面Ｃ字形の開口の中に軒樋吊り具１の屋外側耳保持部４の先端４１を挿入して保持させ、軒樋７の屋内側耳７６を軒樋吊り具１の屋内側耳保持部５のＣ字形の中に挿入して保持させて、軒樋７を軒樋吊り具１に取り付ける。このようにして、複数の軒樋吊り具１に軒樋７を架け渡して取り付ける。
【００１５】
このようにして軒樋を軒樋吊り具１で取り付けて使用していると、軒樋７が夏冬等の温度差によって膨張収縮を繰り返して軒樋吊り具１に軒先に沿った方向に力や上下方向の力が加わる。すると、屋外側耳保持部４と屋内側耳保持部５が軒樋７と一緒になって左右や上下または前後に回動するので、軒樋吊り具１から軒樋７が外れない。又、積雪地方では、積雪が軒樋７や軒樋吊り具１に覆い被さって下方向の力が加わる。すると、図４に示すように、屋外側耳保持部４の先端部分Ｘが屋外側耳７５のＹ部分に引っ掛かって外れないように取り付けられているし、屋外側耳保持部４が軒樋７と一緒になって下方向に、又、屋内側耳保持部５が上方向に回動して、軒樋７の屋外側耳７５が下方に傾斜して軒樋７や軒樋吊り具１から積雪が滑って落下するので、軒樋７が軒樋吊り具１から外れない。
【００１６】
（実施例２）図５は本発明軒樋吊り具の他の実施例を示すもので、軒樋吊り具の使用状態を示す説明図である。
【００１７】
この図５に示す実施例２の軒樋吊り具１ａを図１〜図４の実施例１の軒樋吊り具と比較すると、屋外側耳保持部４ａの構造が異なる。
即ち、屋外側耳保持部４ａはＣ字形に湾曲した小片である。この屋外側耳保持部４ａの先端部４１ａは上方に突出していて、この先端部４１ａを軒樋７ａの屋外側耳７５ａの断面Ｃ字形の中に挿入すると、軒樋７ａの屋外側耳７５ａが屋外側耳保持部４ａで保持できるようになっている。又、根元部４２ａの上面には通孔が設けられていて、この通孔に腕部３ａに設けられた軸３６ａを回動可能に貫通させて、屋外側耳保持部４ａを腕部３ａの先端部に吊り下げている。又、この軸３６ａと根元部４２ａに設けられた通孔とは余裕があるので、屋外側耳保持部４ａが上下方向にも回動可能になっている。
このように、屋外側耳保持部４ａが腕部３ａの先端部に左右方向および上下方向に回動可能に取り付けられていて、実施例１と同じ作用をする。その他の部分は同じ構造で同じ作用するから説明を省略する。
【００１８】
【発明の効果】
請求項１記載の軒樋吊り具では、屋外側耳保持部が腕部の先端部に上下方向および左右方向に回動可能に連結され、また、屋内側耳保持部が腕部の屋内側に前後方向および左右方向に回動自在に吊り下げられているから、この軒樋吊り具で軒樋を取り付けて使用していて、軒樋が夏冬等の温度差によって膨張収縮を繰り返したり、又、積雪が覆い被さっても、屋外側耳保持部が軒樋と一緒になって左右や上下に回動し、また、屋内側耳保持部が軒樋と一緒になって左右や上下に回動するので、軒樋吊り具から軒樋が外れなく安心である。
【図面の簡単な説明】
【図１】本発明の一実施例を示すもので、軒樋吊り具の説明図である。
【図２】図１のＡ部分を斜めから見た状態を拡大して示す説明図である。
【図３】図１の軒樋吊り具の使用状態を示す説明図である。
【図４】軒樋に下方向の力が加わったときの状態を示す説明図である。
【図５】本発明軒樋吊り具の他の実施例を示すもので、軒樋吊り具の使用状態を示す説明図である。
【図６】従来の軒樋吊り具を示す説明図である。
【図７】従来の軒樋吊り具の使用状態を示す説明図である。
【図８】従来の軒樋吊り具を寄せ棟に取り付けた状態を示す説明図である。
【図９】図１０の４００部分を示す説明図である。
【図１０】積雪が軒樋吊り具の上に覆い被さった状態を示す説明図である。
【符号の説明】
１、１ａ  軒樋吊り具
２  取付部
３、３ａ  腕部
４、４ａ  屋外側耳保持部
５  屋内側耳保持部
７  軒樋
７５  屋外側耳
７６  屋内側耳
【図１】
0003742467.tif 000002
【図２】
0003742467.tif 000003
【図３】
0003742467.tif 000004
【図４】
0003742467.tif 000005
【図５】
0003742467.tif 000006
【図６】
0003742467.tif 000007
【図７】
0003742467.tif 000008
【図８】
0003742467.tif 000009
【図９】
0003742467.tif 000010
【図１０】
0003742467.tif 000011